(57)【要約】      （修正有）【課題】筋力の衰えた人が、ベッド横に座り、リハビリや飲食をする時、装着が容易で、軽量で介護者の負担が少なく、確実で安定な座位姿勢保持が出来、保管、運搬時にコンパクトな形に出来る座位保持用具を提供する。【解決手段】板状の左右のベース１をパイプ製の連結枠２でつなぎ、着座部のないコの字形の枠とし、その左右ベースの後部よりパイプ製の背枠３を略垂直方向に立ち上げ、背枠に背板と背もたれ用クッションを取り付け、背もたれとし、背枠の左右立ち上がり部分の中程から、略水平方向前方に支軸１２を出し、肘掛用クッション１１と組み合わせて肘掛けとする。また、左右ベースに伸縮自在のＬ字状の掛け金具４を装着し、金具先端のフック５部分でベッドの横を抱え込み、適正な背もたれ位置で掛け金具をクランプ７で固定する。【選択図】図１
0003197923.tif 000002
【実用新案登録請求の範囲】
【請求項１】
板状の左右のベースをパイプ製の連結枠でつなぎ、着座部のないコの字形の枠としその左右ベースの後部よりパイプ製の背枠を略垂直方向に立ち上げ、上記背枠に背板と背もたれ用クッションを取り付け背もたれとし、背枠の左右立ち上がり部分の中程から略水平方向前方に支軸を出し、肘掛用クッションと組み合わせ肘掛けとすると共に、左右ベースに伸縮自在の掛け金具を装着し、その金具先端のフック部分でベッドの横を抱え込み、患者に適正な背もたれ位置で掛け金具を固定することを特徴とした座位保持用具。
【請求項２】
請求項１の背枠と一体となった背もたれは、背枠と連結枠を繋ぐ止め金具の止め位置を掛け変えることで傾斜角度を段階的に換えることができ又、止め金具を背枠から外し前方に倒し、背もたれを水平にできるように構成した座位保持用具。
【請求項３】
請求項１の伸縮自在の掛け金具には、左右の金具を繋ぐように着脱容易のストップベルトが張ってあり、患者が背もたれに寄りかかる姿勢の反力で体が前方へ滑り出すのを、膝の所で止めることが出来る構成とした座位保持用具。
【請求項４】
請求項１の肘掛は水平状態ではストッパーに当たりそれ以上は下がらないがその反対方向に回転可能で、垂直状態まで略９０度動きストッパーでとまり、背もたれを倒す時、肘掛けがたたみ込めるようにした座位保持用具。
【請求項５】
請求項１の伸縮自在の掛け金具の先端はベッド横の厚みが増減しても掛け幅が調整出来る構成とした座位保持用具。
【考案の詳細な説明】
【技術分野】
【０００１】本考案は高齢や病気の為、座った姿勢を維持する筋力の低下した人に使用されるリハビリ・介護用品に関する。
【背景技術】
【０００２】ベッド上における座位姿勢の保持は、一般に電動ベッドの背上げ機能を使い背もたれとし、クッションや布団をたたんで、肘掛にする方法が行われているが十分な姿勢維持の役目を果たさず、寄りかかる側に沈み込み又は横ずれして座位姿勢を崩していた、又足を下ろさずベッド上に足を伸ばしたままの座位は、疑似座位にとどまり、心臓への血液運搬の負担も軽くリハビリ効果を少なくしていた。【０００３】ベッド上の座位姿勢保持がバックレストによるのみで、左右の支えをクッションや布団に代替えさせる問題を解決する用具として、リクライニング式のバックレストの上端部に懸架して取り付け、背もたれに沿って収納状態にある肘掛を、水平状態に倒し更に枕が使用者の頭を支える位置となるよう、適宜調整し、頭部を預けることにより、状態が左右に傾くのを防ぐ姿勢保持具があり、頭部支持及び肘掛としての十分な機能を有するが、ベッドの端に足を下ろして座る、端座位に関するものではない。
（特許文献１参照）【０００４】ベッド横端に足を下ろして座る、端坐位の人の上半身を支える補助具はあったが、ベッド端から背もたれまでの長さが一定で、変えることが出来ない為、患者の体格違いに合わせて、背もたれ位置を浅くするか、深くするかの選択が出来なかった。【０００５】又姿勢保持枠はクッション性のある一体成型材料で製作され、保持枠の前側左右から出たベルトをベッドのサイドフレームに繋いでいるが剛性が弱く、保持枠はクッション性ゆえに肘掛側に体を預けると沈み込み、サポート機能の弱まると言う問題点を有していた。【０００６】患者が背もたれに寄りかかる姿勢は、体が前方へ滑り出す反力を生じ、筋力の弱くなった人はそれをこらえることが困難となるため、滑り出しをおさえる機能を必要とするが、参考文献２に示す用具はそのような機能を有していない。
（特許文献２参照）【０００７】図３に示すような、テーブル一体型の座位保持用具があり、ベッド横に端坐する患者が、カバンを背負うように肩掛け４２を用いて背もたれ４１を身につけ、その背もたれの左右の端が、テーブルの支柱４５に固定され座位姿勢を保持する構成となっていて、テーブル４３と背もたれ４１で患者をサンドイッチする形は座位保持機能を満足できるものであるが、テーブルと切り離して使用できず、一体型故に移動や、保管に簡便さを欠いていた。又テーブルが足りている時、座位保持具を求めると、テーブルまで購入しなければならない問題点を有していた。
（特許文献３参照）
【先行技術文献】
【特許文献１】実用新案登録  第３０８０７４５号
【特許文献２】実用新案登録  第３０００５４０号
【特許文献３】特開  ２０１１−２４６９０号
【考案の概要】
【考案が解決しようとする課題】
【０００８】解決しようとする第一の問題点は座位保持用具が軽く使いやすいことが求められる結果、肘掛がクッションのみで代用されるとか、樹脂材料の一体成型で製作され、剛性が犠牲にされ、患者が寄りかかることにより沈むことや、横ずれが起きやすく、確実な座位保持とならない点である。【０００９】第二の問題点は、背もたれの、ベッド端からの距離が一定で患者の体格に合わせて調整出来るようになっておらず、体格による適正な着座位置を選べない点である。【００１０】第三の問題点は、背もたれに寄りかかる反力で患者の体が滑り出ることに、防止策がない点である。【００１１】第四の問題点はこの用具の保管、移動時に、かさばりをおさえコンパクト化する対策が講じられていない点である。
【課題を解決するための手段】
【００１２】本考案では剛性と軽量化を実現するため軽金属材料や樹脂材料を主体として使い更にパイプで主要な骨組みを構成している。板状の左右のベースをパイプ製の連結枠でつなぎ，着座部のないコの字形の枠としその左右ベースの後部よりパイプ製の背枠を略垂直方向に立ち上げ、上記背枠に背板と背もたれ用クッションを取り付け背もたれとし、背枠の左右立ち上がり部分の中程から略水平方向前方に支軸を出し、肘掛用クッションと組み合わせ肘掛けとすると共に、左右ベースに伸縮自在の掛け金具を装着しその金具先端のフック部分でベッドの横を抱え込み、患者に適正な背もたれ位置で掛け金具を固定することを要旨としている。【００１３】背枠と一体となった背もたれは、背枠と連結枠を繋ぐ止め金具の止め位置を掛け変えることで傾斜角度を段階的に換えることができ又、止め金具を背枠から外し前方に倒し、背もたれを水平にできる。【００１４】伸縮自在の掛け金具の前側には左右の金具を繋ぐように着脱容易のストップベルトが張ってあり、患者が背もたれに寄りかかる姿勢の反力で体が前方へ滑り出すのを膝の所で止めることが出来る。【００１５】肘掛は水平状態では水平ストッパーに当たりそれ以上は下がらないが、その反対方向に回転可能で、垂直状態まで略９０度動き、ストッパーでとまり、背もたれを倒す時、肘掛けがたたみ込める。【００１６】伸縮自在の掛け金具の先は、ベッド横の厚みが増減しても掛け幅が調整出来る。
【考案の効果】
【００１７】本座位保持用具は着座部がなく、軽量の為介護者が被介護者を抱き上げる等の大きな力と動作を必要とせずベッド端に腰掛けた被介護者を片手で支えつつ、もう一方の手で、その背後から保持枠を挿入することが出来、介護者の身体的負担を大きく減らすことができる。【００１８】保持枠に装荷した掛け金具をベッドの横に掛けることにより、横ずれ、揺れる、傾く等がなく安定した保持枠となり、座位保持に十分な機能を持つ用具となる。
又患者の体格に合わせ伸縮自在の掛け金具の長さを調整することで、背もたれの最適位置を設定できる。【００１９】掛け金具先端の左右に装荷されたベルトを繋ぎ、そのベルトで膝部を受けることで背もたれに寄りかかることによる反力で、体が前にすべり出るのを押さえることができる。【００２０】座位保持用具を保管、運搬、移動するとき、肘掛け、背もたれ、伸縮自在金具をコンパクトにたたむことが出来、取り扱いやすくなる。
【図面の簡単な説明】
【００２１】
【図１】本案を実施するのに最良の形態の斜視図である。
【図２】図１の背もたれ部分の側面図である
【図３】テーブルと連結された座位保持用具の斜視図である。
【考案を実施する為の形態】
【００２２】以下実施の形態を図に基づいて説明する。
図１に示すベース１は、軽金属材料の板で作られ、左右に配置されて、連結枠２でつながれ、着座部のない略コの字形をしている。ベース１後方に、軽金属材料のパイプを曲げて作られた背枠３を略垂直方向に立ち上げてある。
【００２３】ベース１との結合はヒンジ取り付けとなっていて前後に倒すことができるが、連結枠２の中間部から出ている止め金具１０を背枠３の横棒に掛けることで適正位置に固定出きる。
【００２４】背枠３の立ち上がり略中間部より前方へパイプ材で作られた支軸１２が水平方向に出て、肘掛用クッション１１と組み合わされて、ソフトな肘掛を構成している。
この肘掛はヒンジ取り付けとなっていて略垂直まで約９０度回転し、収納時コンパクト形状にたたむことが出来る。
【００２５】背もたれは図２に示すように背枠に、薄い軽金属材料製の背板１４を取り付けその上に座布団状の背もたれ用クッション１５をかぶせ、背板１４、背もたれ用クッシン１５を共に、着脱可能な布カバー（図示せず）でくるむことでソフトな背もたれとしている。
【００２６】左右ベース１の上に軽金属パイプ製の掛け金具４が、それぞれに軸受６で支えられ、前後に伸縮自在で取り付けられている。掛け金具４の前端は９０度に曲げられフック５を取り付けコの字形とし、ベッド１６の横のサイドフレーム１９、ボトム１８、マットレス１７を抱え込める形となっている。
【００２７】抱える所の厚さの違いに合わせてコの字形の間隔を換えられるよう、掛け金具４の９０度曲げた先端には複数個のねじ穴が設けられている。そのねじ穴へノブ９と一体としてとして取り付けられた雄ねじを差し替えることでフック５を移動できる。
【００２８】掛け金具４がベッド端に掛けられた状態で背もたれ位置を前後し、患者に最適位置となった所で、インデックプランジャ８に組み込まれたピンを落とし込み、位置を確定する。さらにクランプ７を締めあげることで掛け金具４の回転方向の固定を二重にすることができる。
【００２９】インデックスプランジャ８のピンはツマミを持ってバネ力に逆らって引き上げることで抜ける。抜けた状態を維持するにはツマミを９０度回す。さらにその位置から９０度回せばピンは挿入出来る。クランプ７は掛け金具４を任意の位置で固定出来る。
【００３０】左右の掛け金具４の前方曲げ部分には各々ストップベルト１３が取り付けられそのベルトの先端には面ファスナーが貼られ、そのベルトの左右を繋ぐことで患者の膝が前に出るのを止めることができる。ベルトは車のシートベルト状のものを、止め金具で締結することも可能である。
【００３１】以上のような構成により、着座部のない、軽量でありながら、座位保持に十分な剛性を持ち、背もたれ、肘掛にはクッション性があり、かつ取扱上介護者に負担をかけない使い易い用具を実現している。
【００３２】使用方法について以下に説明する。
患者に装着する前の本座位保持用具は、背もたれが立ち上がり、肘掛が水平に出て、ストッパーベルト１３の繋ぎ部分が外され、左右の掛け金具４が略１８０度、軸周りに回されＥ、フック５部分が上の位置にあり、軸は後方に縮められ、クランプ７で固定され、インデックスプランジャ８のピンは、引き上げられた状態で止めてあり、先端にあるフックの位置は、ベッドのマットレス１７、ボトム１８又はサイドフレーム１９を加えた厚さに合わせて、掛け幅が調整Ｆされている状態で、電動ベッド１６の上に置かれている。
【００３３】電動ベッド１６に寝ている患者をベッドの背上げ機能を使って起こし、ベッド横に足を下ろして座る、端坐位を取らせ、片手で患者を支えながら、もう一方の手座位保持用具を、患者の背後から挿入する。
【００３４】患者の寄りかかる肘掛の反対側の肘掛が浮き上がるのを、抑えながら掛け金具４の、クランプ７を緩め前方に引き出しＤ、掛け金具の軸部を１８０度回転しＥ、フック５を下向きとする。掛け金具４を後退させ、ベッド端にフックを５掛ける。もう一方の掛け金具を同様にして、フック５をベッド端に掛けることで、背もたれと肘掛が安定する。
【００３５】次に背もたれが、患者の適正位置に来るよう、前後させて調整し、インデックスプランジャのツマミを、止めの位置から９０度回し、ピンを落とし込み位置決めする。更に固定の安定の為にクランプ７を締める。
【００３６】次に左右のストップベルト１３を繋ぎ合わせ、患者の膝が前へ出ないようにする。
以上で確実に安定した座位保持が出来る状態となる。
【００３７】保管、運搬、移動時、コンパクト形状にする方法について以下に説明する。
ストップベルト１３の繋ぎを外す、インデックスプランジャ８のツマミを引き上げるとピンがぬける、戻らないように９０度回して固定し、クランプ７を緩める、左右の掛け金具４を回して、フック５が略水平となり、左右ベースの間に収まるように掛け金具４の軸を回転及び後退させ、クランプ７を締める。次に左右肘掛をＢ方向に回し、ストッパー２０で止める、留め金１０をＡ方向に外し、背枠と一体となった背もたれを略水平Ｃに倒すことで、コンパクト形状に出来る。
【産業上の利用可能性】
【００３８】本考案は、（座位保持用具）介護用品を製造する産業で利用される。
【符号の説明】
【００３９】  １  ベース
２  連結枠
３  背枠
４  掛け金具
５  フック
６  軸受
７  クランプ
８  インデックスプランジャ
９  ノブ
１０  留め金具
１１  肘掛用クッション
１２  支軸
１３  ストップベルト
１４  背板
１５  背もたれ用クッション
１６  電動ベッド
１７  マットレス
１８  ボトム
１９  サイドフレーム
２０  ストッパー
４１  背もたれ
４２  肩掛け
４３  テーブル
４５  支柱
Ａ  止め金具１０の外し方向
Ｂ  肘掛跳ね上げ方向
Ｃ  背もたれを倒す方向
Ｄ  掛け金具４の伸縮方向
Ｅ  掛け金具４の回転方向
Ｆ  フック５の移動方向
【図１】
0003197923.tif 000003
【図２】
0003197923.tif 000004
【図３】
0003197923.tif 000005
【手続補正書】
【提出日】平成27年3月16日(2015.3.16)
【手続補正１】
【補正対象書類名】実用新案登録請求の範囲
【補正対象項目名】請求項２
【補正方法】変更
【補正の内容】
【請求項２】
前記背枠と一体となった背もたれは、背枠と連結枠を繋ぐ止め金具の止め位置を掛け替えることで傾斜角度を段階的に変える事ができ又、止め金具を背枠から外し前方に倒し、背もたれを水平に出来るように構成したことを特徴とする請求項１に記載の座位保持用具。
【手続補正２】
【補正対象書類名】実用新案登録請求の範囲
【補正対象項目名】請求項３
【補正方法】変更
【補正の内容】
【請求項３】
前記伸縮自在の掛け金具には、左右の金具を繋ぐように着脱容易のストップベルトが張ってあり、患者が背もたれに寄りかかる姿勢の反力で体が前方へ滑り出すのを、膝の所で止める事が出来る構成とした事を特徴とする請求項１に記載の座位保持用具
【手続補正３】
【補正対象書類名】実用新案登録請求の範囲
【補正対象項目名】請求項４
【補正方法】変更
【補正の内容】
【請求項４】
前記肘掛は水平状態ではストッパーに当たりそれ以上下がらないが、その反対方向に回転可能で、略９０度動きストッパーで止まり、背もたれを倒す時、肘掛が邪魔にならずにたたみこめるようにしたことを特徴とする請求項１に記載の座位保持用具
【手続補正４】
【補正対象書類名】実用新案登録請求の範囲
【補正対象項目名】請求項５
【補正方法】変更
【補正の内容】
【請求項５】
前記伸縮自在の掛け金具の先端はベッド横の厚みが増減しても、掛け幅が調整出来るように構成したことを特徴とする請求項１に記載の座位保持用具